(57)【特許請求の範囲】
【請求項１】
配送情報を記入した貼付票に、同じく配送情報を記入した配送票または秘匿すべき隠蔽情報をはじめとする必要情報を記入した隠蔽情報記入票のいずれか一方を分離可能に連接し、この連接した一方の票の表面側に他方の票の表面側を重ねて剥離可能に接着するとともに、前記貼付票とこれに連接した前記配送票または前記隠蔽情報記入票の一方の票の裏面側には接着層を設け、前記貼付票に連接した前記一方の票の接着層は剥離可能な接着層であることを特徴とする配送伝票。
【請求項２】
配送票と隠蔽情報記入票を分離可能に連接したことを特徴とする請求項１記載の配送伝票。
【発明の詳細な説明】
【０００１】
【発明の属する技術分野】
本発明は、配送情報を記入した貼付票と、同じく配送情報を記入した配送票と、秘匿すべき隠蔽情報（以下単に隠蔽情報という）をはじめとする必要情報を記入した隠蔽情報記入票とからなる配送伝票に関し、特に、隠蔽情報記入票に記入した配送品価格のような隠蔽情報を外部から視認できない状態で配送品に貼付して配送作業ができる配送伝票に関する。
【０００２】
【従来の技術】
従来の配送情報を記入した貼付票と、同じく配送情報を記入した配送票と、配送品価格のような隠蔽情報をはじめとする必要情報を記入した隠蔽情報記入票とからなる配送伝票は、配送品に各情報が表出した状態で貼付して、配送作業を行っている。
【０００３】
【発明が解決しようとする課題】
このため、従来においては、配送伝票に記入した配送品価格のような隠蔽情報を視認可能なので、秘匿すべき情報を第三者に知られてしまい、プライバシーが保護できないとともに、隠蔽情報が配送品価格の場合には、この配送品価格に基づいて配送品の価値を判断でき、高価な配送品は盗難にあう危険性があるという不都合があった。
【０００４】
本発明は、このような従来の不都合を解消して、プライバシーを保護するとともに、隠蔽情報が配送品価格の場合には、配送品の価値を配送中の配送伝票からは判断することができない、配送伝票を提供することを目的とする。
【０００５】
【課題を解決するための手段】
この目的を達成するために、本願発明の請求項１に記載した配送伝票は、配送情報を記入した貼付票に、同じく配送情報を記入した配送票または配送品価格のような隠蔽情報をはじめとする必要情報を記入した入金・領収票のような隠蔽情報記入票のいずれか一方、例えば配送票を分離可能に連接し、この連接した一方の票の表面側に他方の票、例えば入金・領収票の表面側を重ねて剥離可能に接着するとともに、前記貼付票とこれに連接した前記配送票または前記入金・領収票の一方の票、例えば配送票の裏面側には接着層を設け、前記貼付票に連接した前記一方の票、例えば配送票の接着層は剥離可能な接着層としたものである。
【０００６】
また、同じく上記目的を達成するために、本願発明の請求項２に記載した配送伝票は、請求項１記載の配送伝票において、配送票と隠蔽情報記入票、例えば入金・領収票を分離可能に連接したものである。
【０００７】
【発明の実施の形態】
以下、本発明の好適な実施の形態を添付図面に基づいて詳細に説明する。ここにおいて、図１は必要事項を印字した状態の配送伝票を示す平面図、図２はそのＡ−Ａ線断面図、図３は配送票に隠蔽情報記入票である入金・領収票を重ねて剥離可能に接着した状態の配送伝票を示す平面図、図４は配送品の容器に配送伝票を貼付した状態を示す断面図、図５は配送票と隠蔽情報記入票である入金・領収票を剥離した状態の断面図である。
【０００８】
図１に示すように、配送伝票１は、配送情報記入部３を有する貼付票２と、配送情報記入部５と受領印捺印部６を有する受領票を兼ねる配送票４とを、スリット７を介して分離可能に連接し、また、前記配送票４には折り兼切り用ミシン目９を介して隠蔽情報記入票たる入金・領収票８を分離可能に連接している。なお、前記各配送情報記入部３，５には、追って、届け先などの配送情報を印字するもので、当初は空欄状態にある。
【０００９】
入金・領収票８は、前記折り兼切り用ミシン目９に対して直角に伸びる折り兼切り用ミシン目１２を介して分離可能に連接した入金票１０と領収票１１とからなる。前記入金票１０は、隠蔽情報である配送品価格や一般の入金情報である送金先などを追って記入する、当初は空欄状態の入金情報記入部１３を有する。また、前記領収票１１は当初白紙状態にあり、追って、宛名、領収内容、空欄の領収年月日などを印字し、取扱銀行の受領印を捺印する取扱銀行捺印部を印字するものである。
【００１０】
図２に示すように、貼付票２と配送票４と入金・領収票８の各表面には、印字可能で、接着力が弱く、接着後に剥離可能な感圧性接着剤を塗布してなる再剥離型接着層１４を設けている。また、前記貼付票２と前記配送票４の各裏面には、接着力が弱く、接着後に剥離可能な感圧性接着剤を塗布してなる再剥離型接着層１５を設けて、前記各票２，４を貼着シート１６に剥離可能に接着している。
【００１１】
さらに、貼着シート１６の裏面には、接着力の強い通常の粘着剤を塗布してなる接着層１７を設けるとともに、剥離紙１８で被覆している。この剥離紙１８には剥離開始動作を容易にするために、剥離開始端となるスリット１９を設けている。なお、再剥離型接着層１５が配送票４の裏面側に設けた剥離可能な接着層を構成し、前記接着層１７が貼付票２の裏面側に設けた接着層を構成する。
【００１２】
そして、図１に示すように、貼付票２の配送情報記入部３には、配送品の届け先の住所、氏名、電話番号と、問い合わせ番号と、配送品名とからなる配送情報２０を印字し、配送情報記入部３の下には、配送品の発送元の住所、名称、電話番号からなる発送元表示２１を印字する。この発送元表示２１はあらかじめ印刷しておいてもよい。また、前記配送情報記入部３の上には「貼付票」という表題をあらかじめ印刷してある。
【００１３】
同じく図１に示すように、受領票を兼ねる配送票４の配送情報記入部５には、届け先の住所、氏名、電話番号と、配送品名とからなる配送情報２２を印字する。この配送票４の配送情報記入部５の上には、「配送票兼受領票」という表題をあらかじめ印刷している。
【００１４】
同じく図１に示すように、入金票２の入金情報記入部１３には、送金先である配送品発送元の取引銀行の支店名、預金口座番号、口座名義人名、振り込み金額である配送品価格からなる入金情報２３を印字する。また、領収票１１には、宛名、領収内容、空欄の領収年月日、取扱銀行捺印部からなる領収情報２４を印字する。
【００１５】
上述した印字は、印字データをあらかじめ入力してあるコンピュータ（図示せず）に連動する適宜なプリンタ（図示せず）で行う。なお、図示してはいないが、配送伝票１は当初、天地方向に切り用ミシン目を介して多数連接する連続状態にある。
【００１６】
そして、図３に示すように、折り兼切り用ミシン目９から入金・領収票８を配送票４に折り重ね、適宜な圧力を加えて、表面同士を再剥離型接着層１４で剥離可能に接着する。これにより、配送情報２２と入金情報２３及び領収情報２４は隠蔽され、これら各情報２２，２３，２４は外部から視認不能となる。ここで、図４に示すように、貼着シート１６から剥離紙１８を剥離して粘着剤１７を露出し、この粘着剤１７で、配送品（図示せず）の包装容器２５の適所に貼付し、配送作業を行う。
【００１７】
配送品の届け先では、折り重ね状態にある配送票４と入金・領収票８を貼着シート１６から剥離し（図５参照）、さらに両票４，８の重ね合わせ面を見開き状態に剥離して配送情報２２、入金情報２３、領収情報２４を視認可能とする（図１参照）。この見開き状態で配送票４の受領印捺印部６に受領印の捺印を受け、折り兼切り用ミシン目９を破断して配送票４と入金・領収票８を分離して、前記配送票４は配達店に持ち帰る一方、前記入金・領収票８は配送品とともに注文主である届け先に手渡す。
【００１８】
配送品を受け取った注文主は、入金・領収票８を持って銀行に行き、入金票４に記載の金額を振り込むとともに、領収票１１の取扱銀行捺印部に銀行の領収印を押してもらい、切り用ミシン目１２を破断して入金票１０と領収票１１とを分離し、領収票１１を持ち帰って保管する。
【００１９】
なお、本発明は、上述した各実施形態に限定されるものではなく、例えば、貼付票２と配送票４は、スリット７ではなく切り用ミシン目を介して連接してもよく、また、配送票４に換えて入金・領収票８を、貼付票２に分離可能に連接してもよい。またさらに、配送票４と入金・領収票８を連接しないで、両票を別体として構成してもよい。さらに、隠蔽情報記入票は適宜な隠蔽情報を記入するものであればよく、配送品価格を記入する入金・領収票８に限らない。
【００２０】
また、貼着シート１６を設けずに、貼付票２の裏面に直接、接着層１７を設ける一方、入金・領収票８の裏面には再剥離型接着層１５を設け、この再剥離型接着層１５と前記接着層１７を剥離紙１８で被覆してもよい。さらにまた、再剥離型接着層１５や前記接着層１７が通常状態では接着せず、所定条件を付与すると接着可能となる接着層、例えば所定以上の圧で接着可能となる感圧性接着剤の場合には、剥離紙１８で被覆する必要はない。
【００２１】
【発明の効果】
以上のように、本発明の請求項１における配送伝票によれば、配送伝票に記入した配送品価格のような隠蔽情報を配送作業中に視認できないので、プライバシーを保護できるとともに、隠蔽情報が配送品価格の場合には、この配送品価格に基づいて配送品の価値を判断することができず、高価な配送品が盗難にあう危険性を避けることができるという効果を奏する。
【００２２】
また、本発明の請求項２における配送伝票によれば、請求項１発明の効果に加えて、配送票と隠蔽情報記入票とを連接したので、取り扱い易く、印字作業も効率よく、円滑になされるという効果を奏する。
【図面の簡単な説明】
【図１】  必要事項を印字した状態の配送伝票を示す平面図。
【図２】  図１のＡ−Ａ線断面図。
【図３】  配送票に入金・領収票を重ねて剥離可能に接着した状態を示す平面図。
【図４】  配送品の容器に配送伝票を貼付した状態を示す断面図。
【図５】  配送票と入金・領収票を剥離した状態の断面図。
【符号の説明】
１      配送伝票
２      貼付票
３，５      配送情報記入部
４      配送票
７      スリット
８      入金・領収票
９      折り兼切り用ミシン目
１０      入金票
１１      領収票
１２      切り用ミシン目
１３      入金情報記入部
１４，１５      再剥離型接着層
１６      貼着シート
１７      接着層
１８      剥離紙
２０，２２      配送情報
２３      入金情報
２４      領収情報
２５      包装容器
【図１】
0003710338.tif 000002
【図２】
0003710338.tif 000003
【図３】
0003710338.tif 000004
【図４】
0003710338.tif 000005
【図５】
0003710338.tif 000006